(57)【特許請求の範囲】
【請求項１】
既設湯水混合水栓下半部と、既設湯水混合水栓上半部と取り替えられる既設湯水混合水栓にない上部湯導入路、上部水導入路および上部混合湯水排出路の少なくともいずれか１つに通じる分岐口が設けられている共通湯水混合水栓上半部との間に介在されるアダプターであって、アダプターは、アダプター本体と、その外周に配された接続筒体とよりなり、アダプター本体は、既設湯水混合水栓下半部の下本体上面と対面する下面と、下面の周縁寄りに形成せられて下本体の上面に設けられた位置決め突起がはめ込まれる凹部と、共通湯水混合水栓上半部の上本体下面と対面する上面と、上本体の上部湯導入路および上部水導入路の下端部に形成せられた径大部にはめ込まれる上面から上方に突出した２つの筒状位置決め部材と、上本体に具備せられたカートリッジ内の固定弁板と可動弁板間の湯水混合室に通じる上部湯導入路、上部水導入路および上部混合湯水排出路とそれぞれ合致するように形成せられた中間第１湯導入路、中間第１水導入路および中間第１混合湯水排出路と、給湯管、給水管および混合湯水吐出管とそれぞれ通じる下本体の下部湯導入路、下部水導入路および下部混合湯水排出路とそれぞれ合致するように形成せられるとともに、中間第１湯導入路、中間第１水導入路および中間第１湯水排出路とつながる中間第２湯導入路、中間第２水導入路および中間第２混合湯水排出路とを備え、接続筒体は、アダプター本体に対して回転自在となされ、接続用下部に雌ねじが形成せられて既設湯水混合水栓下半部の下本体に形成せられた筒状上方突出部の雄ねじとねじ合わせられるようになされるとともに、接続筒体の接続用上部に雄ねじが形成せられて共通湯水混合水栓上半部の上本体に回転自在に取り付けられた垂下筒体の接続用下部の雌ねじとねじ合わされるようになされている湯水混合水栓上半部取り替え用アダプター。
【発明の詳細な説明】
【０００１】
【発明の属する技術分野】
本発明は、湯水混合水栓上半部取り替え用アダプターに関する。
【０００２】
【発明が解決しようとする課題】
シングルレバー式湯水混合水栓において、分岐口を有しない既設のものを分岐口を有するものに取り替えたい場合がある。シングルレバー式湯水混合水栓は、上半部と下半部が着脱自在になっているので、上記取り替えの需要があった場合、分岐口のない既設のものの上半部を分岐口のある新しい上半部と取り替えればよい。ところが、シングルレバー式湯水混合水栓は、メーカー毎に、上端においてカートリッジ内の固定弁板と可動弁板間の湯水混合部に通じ、下端において給湯管、給水管および混合湯水吐出管とそれぞれ通じる湯導入路、水導入路および混合湯水排出路がその中心位置および径において若干異にする。そのため、分岐口の付いたシングルレバー式湯水混合水栓の販売業者は、メーカー毎のシングルレバー式湯水混合水栓に対応した分岐口付き同上半部を複数用意する必要があり、それにともなって同上半部全体のコストが必要となるという問題があった。
【０００３】
本発明の目的は、シングルレバー式湯水混合水栓において、分岐口を有しない既設のものを分岐口を有するものに取り替えたいような場合に、メーカー毎の製品に関係なく、分岐口の付いた共通上半部１種類のみを用意するだけでことたりるようにした湯水混合水栓上半部取り替え用アダプターを提供するにある。
【０００４】
【課題を解決するための手段】
本発明による湯水混合水栓上半部取り替え用アダプターは、  既設湯水混合水栓下半部と、既設湯水混合水栓上半部と取り替えられる既設湯水混合水栓にない上部湯導入路、上部水導入路および上部混合湯水排出路の少なくともいずれか１つに通じる分岐口が設けられている共通湯水混合水栓上半部との間に介在されるアダプターであって、アダプターは、アダプター本体と、その外周に配された接続筒体とよりなり、アダプター本体は、既設湯水混合水栓下半部の下本体上面と対面する下面と、下面の周縁寄りに形成せられて下本体の上面に設けられた位置決め突起がはめ込まれる凹部と、共通湯水混合水栓上半部の上本体下面と対面する上面と、上本体の上部湯導入路および上部水導入路の下端部に形成せられた径大部にはめ込まれる上面から上方に突出した２つの筒状位置決め部材と、上本体に具備せられたカートリッジ内の固定弁板と可動弁板間の湯水混合室に通じる上部湯導入路、上部水導入路および上部混合湯水排出路とそれぞれ合致するように形成せられた中間第１湯導入路、中間第１水導入路および中間第１混合湯水排出路と、給湯管、給水管および混合湯水吐出管とそれぞれ通じる下本体の下部湯導入路、下部水導入路および下部混合湯水排出路とそれぞれ合致するように形成せられるとともに、中間第１湯導入路、中間第１水導入路および中間第１湯水排出路とつながる中間第２湯導入路、中間第２水導入路および中間第２混合湯水排出路とを備え、接続筒体は、アダプター本体に対して回転自在となされ、接続用下部に雌ねじが形成せられて既設湯水混合水栓下半部の下本体に形成せられた筒状上方突出部の雄ねじとねじ合わせられるようになされるとともに、接続筒体の接続用上部に雄ねじが形成せられて共通湯水混合水栓上半部の上本体に回転自在に取り付けられた垂下筒体の接続用下部の雌ねじとねじ合わされるようになされているものである。
【０００５】
【発明の実施の形態】
図１および図２は、共通湯水混合水栓上半部(A) を有する基本湯水混合水栓を示す。
【０００６】
図中(B) は、基本湯水混合水栓下半部であって、これは流し台天板等における所定位置に立てられており、給湯管(1) 、給水管(2) および混合湯水吐出管(3) とそれぞれ通じる下部湯導入路(4) 、下部水導入路(5) および下部混合湯水排出路(6) を有する円柱状の下本体(7) を備えている。下本体(7) には、筒状上方突出部(8) が形成せられており、その上部に雄ねじ(9) が設けられている。下本体(7) の高さの中程には、段部(10)が形成せられており、段部(10)の直上と雄ねじ(9) の若干下方までの間において、混合湯水吐出管(3) 付き筒体(11)が、筒状上方突出部(8) を含む下本体(7) に回転自在にはめ被せられている。下本体(7) の上端部外周には、下部混合湯水排出路(6) と混合湯水吐出管(3) とを通じさせる第１環状連通溝(12)が、筒状上方突出部(11)の下半部外周には、混合湯水吐出管(3) およびこれのある部分において第１環状連通溝(12)と連通する第２環状連通溝(13)がそれぞれ形成せられている。第１環状連通溝(12)および第２環状連通溝(13)は、筒体(11)で覆われている。
【０００７】
共通湯水混合水栓(A) は、円柱状上本体(14)を備えている。上本体(14)は、これの上部に内蔵せられたシングルレバー式湯水混合水栓用カートリッジ(15)内の固定弁板と可動弁板間の湯水混合室（図示略）に通じる上部湯導入路(16)、上部水導入路(17)および上部混合湯水排出路(18)を有する。カートリッジ(15)の内部構造は公知であるので、その図示および説明は省略する。上本体(14)には、上にいくにしたがって狭まった断面弧状の外周面を有しかつ頂部が開放されたカバー(19)が被せられており、その上にシングルレバー(20)に設けられた逆椀状基部(20a) が被せられている。そして、下端部が可動弁板に関与せられている揺動自在な作動ピン(21)の上端部が、基部(20a) の内面中央部に取り付けられている。
【０００８】
上本体(14)は、カートリッジ(15)が内蔵せられかつ上本体(14)の大半を占める径大部(22)と、径大部(22)から下方に突出しかつこれより径の小さい中間径小部(23)と、さらに中間径小部(23)から下方に突出しこれより径の小さい最小径小部(24)とよりなる。中間径小部(23)の下端部外周には、横断面半円形の環状溝が形成せられており、これにＯリング(25)の半分がはめ込まれて固定されている。固定Ｏリング(25)に垂下筒体(26)の上端に設けられた内方突出鍔(27)の内端上部に形成せられている下向き段部(28)が引っ掛けられ、垂下筒体(26)が回転自在に上本体(14)に取り付けられている。垂下筒体(26)は、上本体(14)の下端より若干下方までのびており、その接続用下部(29)には、下本体(7) の筒状上方突出部(8) に設けられた雄ねじ(9) とねじ合わされる雌ねじ(30)が設けられている。そして、垂下筒体(26)を回して雌ねじ(30)を雄ねじ(9) に最後までねじ合わせると、上本体(14)の中間径小部(23)と同最小径小部(24)の境界に形成せられている下向き段部(31)が下本体(7) の筒状上方突出部(8) の上端面に当接するとともに、最小径小部(24)が筒状上方突出部(8) 内の上部に入り込むようになっている。上本体(14)の径大部(22)には、外から上部水導入路(17)に至る水平孔(32)があけられるとともに、これに雌ねじ(33)が設けられている。水平孔(32)の雌ねじ(33)に短筒状分岐口(34)の基部に設けられた雄ねじ(35)がねじ合わされ、分岐口(34)が上本体(14)に外方突出状に取り付けられている。分岐口(34)の先端には、ホース等の接続用継手（図示略）の基部に設けられた雌ねじがねじ合わされる雄ねじ(36)が設けられている。
【０００９】
湯水混合水栓下半部(B) の下本体(7) と、共通湯水混合水栓上半部(A) の上本体(14)との間には、円柱状アダプター(37)が介在せられる。アダプター(37)の高さは、最小径小部(24)が筒状上方突出部(8) 内に入り込む分だけ筒状上方突出部(8) より低い。
【００１０】
アダプター(37)は、湯水混合水栓下半部(B) の下本体(7) 上面と対面する下面と、共通湯水混合水栓上半部(A) の上本体(14)下面と対面する上面と、上部湯導入路(16)、上部水導入路(17)および上部混合湯水排出路(18)とそれぞれ合致するとともに、下本体(7) の下部湯導入路(4) 、下部水導入路(5) および下部混合湯水排出路(6) とそれぞれ合致するように形成せられた中間湯導入路(38)、中間水導入路(39)および中間湯水排出路(40)とを備えている。
【００１１】
上部湯導入路(16)、中間湯導入路(38)および下部湯導入路(4) はいずれも垂直で横断面円形であり、それぞれの中心線(L1)を共通にする。上部水導入路(17)、中間水導入路(39)および下部水導入路(5) も同様にいずれも垂直で横断面円形であり、それぞれの中心線(L2)を共通にする。上部混合湯水排出路(18)、中間混合湯水排出路(40)および下部混合湯水排出路(6) も同様にいずれも垂直で横断面円形であり、それぞれの中心線(L3)を共通にする。
【００１２】
中間湯導入路(38)および中間水導入路(39)の上下端部には、これらより径の大きい径大部(41)が形成せられるとともに、径大部(41)に雌ねじ(42)が設けられている。中間湯導入路(38)および中間水導入路(39)の上下径大部(41)の雌ねじ(42)に、上部筒状位置決め部材(43)および下部筒状位置決め部材(44)の各基部に設けられた雄ねじ(45)がねじ込まれ、両位置決め部材(43)(44)がアダプター(37)に上下突出状に取り付けられている。そして、上本体(14)の上部湯導入路(16)および上部水導入路(17)の下端部には、これらより径の大きい径大部(47)が形成せられ、上部筒状位置決め部材(43)が水密にはめ込まれるようになっており、下本体(7) の下部湯導入路(4) および下部水導入路(5) の上端部には、これらより径の大きい径大部(48)が形成せられ、下部筒状位置決め部材(44)が水密にはめ込まれるようになっている。また、中間混合湯水排出路(40)の上下端部には、これより径の大きい径大部(49)が形成せられており、上下環状パッキン(50)(51)が密にはめ入れられている。上環状パッキン(50)は上本体(14)の下面に、下環状パッキン(51)は下本体(7) の上面にそれぞれ密接するようになされている。
【００１３】
図３および図４は、本発明の実施の形態を示す。
【００１４】
既設湯水混合水栓下半部(C) と、既設湯水混合水栓上半部（図示なし）と取り替えられる既設湯水混合水栓にない分岐口を備えた共通湯水混合水栓上半部(A) との間に介在される本発明のアダプター(D) は、アダプター本体(52)と、その外周に配された接続筒体(53)とよりなり、アダプター本体(52)は、既設湯水混合水栓下半部(C) の下本体(54)上面と対面する下面と、共通湯水混合水栓上半部(A) の上本体(14)下面と対面する上面と、上本体(14)に具備せられたカートリッジ(15)内の固定弁板と可動弁板間の湯水混合室に通じる上部湯導入路(16)、上部水導入路(17)および上部混合湯水排出路(18)とそれぞれ合致するように形成せられた中間第１湯導入路(55)、中間第１水導入路(56)および中間第１混合湯水排出路(57)と、給湯管(58)、給水管(59)および混合湯水吐出管(60)とそれぞれ通じる下本体(54)の下部湯導入路(61)、下部水導入路(62)および下部混合湯水排出路(63)とそれぞれ合致するように形成せられるとともに、中間第１湯導入路(55)、中間第１水導入路(56)および中間第１湯水排出路(57)とつながる中間第２湯導入路(64)、中間第２水導入路(65)および中間第２混合湯水排出路(66)とを備え、接続筒体(53)は、既設湯水混合水栓下半部(C) と接続しうるように形成せられた接続用下部(67)と、共通湯水混合水栓上半部(A) に接続される接続用上部(68)とを備えている。
【００１５】
既設湯水混合水栓下半部(C) の下本体(54) には、雄ねじ(69)を有する筒状上方突出部(70) が形成せられるとともに、下本体(54) の高さの中程に段部(71)が形成せられており、段部(71)の直上と雄ねじ(69)の直下までの間において、混合湯水吐出管(60)付き筒体(72)が、下本体(54)に回転自在にはめ被せられている。下本体(54) の高さの中程やや上部外周には、下部混合湯水排出路(63)を水平連通路(73)を介して混合湯水吐出管(60)に連通させる環状連通溝(74)が形成せられている。環状連通溝(74)は、筒体(72)で覆われている。
【００１６】
中間第１湯導入路(55)、中間第１水導入路(56)、中間第１混合湯水排出路(57)、中間第２湯導入路(64)、中間第２水導入路(65)および第２混合湯水排出路(66)、下部湯導入路(61)、下部水導入路(62)および下部混合湯水排出路(63)はいずれも垂直で横断面円形である。そして、上部湯導入路(16)および中間第１湯導入路(55)は、それぞれの中心線(L1)を共通にし、上部水導入路(17)および中間第１水導入路(56)は、それぞれの中心線(L2)を共通にし、上部混合湯水排出路(18)および中間第１混合湯水排出路(57)は、それぞれの中心線(L3)を共通にする。また、中間第２湯導入路(64)および下部湯導入路(61)は、それぞれの中心線(L4)を共通にするが、中間第１湯導入路(55)の中心線(L1)に対しては偏心しており、中間第２水導入路(65)および下部水導入路(62)は、それぞれの中心線(L5)を共通にするが、中間第１水導入路(56)の中心線(L2)に対しては偏心しており、中間第２混合湯水排出路(66)および下部混合湯水排出路(63)は、それぞれの中心線(L6)を共通にするが、中間第１混合湯水排出路(57)の中心線(L3)に対しては偏心している。
【００１７】
アダプター本体(52)は、高さの低い円柱状であって、上部径大部(75)と下部径小部(76)とよりなり、下面の周縁寄りには、下本体(54)の上面に設けられたアダプター本体(52)の位置決め突起(77)がはめ込まれる凹部(78)が形成せられている。アダプター本体(52)の中間第２湯導入路(64)および中間第２水導入路(65)の下端部には、これらより径の大きい径大部(79)が形成せられており、各径大部(79)に環状パッキン(80)が密にはめ入れられ、同中間第２混合湯水排出路(66)には、これより径の大きい径大部(81)が形成せられており、径大部(81)に環状パッキン(82)が密にはめ込まれている。すべての環状パッキン(80)(82)は、下本体(54)の上面にそれぞれ密接するようになされている。アダプター本体(52)の中間第１湯導入路(55)および中間第１水導入路(56)の上端部には、基本湯水混合水栓のアダプター(37)に配置せられたものと同様の筒状位置決め部材(43)が上方突出状に配置せられるとともに、中間第１混合湯水排出路(57)の上端部には、同アダプター(37)に配置せられたものと同様の環状パッキン(50)が配置せられている。
【００１８】
接続筒体(53)には、長さの中程に環状張出部(83)が形成せられており、その下面がアダプター本体(52)の上部径大部(75)と下部径大部(76)の境に形成せられた段部(84)にのるようになされている。そして、環状張出部(83)より下が既設湯水混合水栓下半部(C) における下本体(54)の筒状上方突出部(70)との接続用下部(67)となされており、接続用下部(67)に筒状上方突出部(70)の雄ねじ(69)にねじ合わされる雌ねじ(85)が設けられている。したがって、環状張出部(83)は、このねじ合わせが可能なように張り出している。また、環状張出部(83)より上が共通湯水混合水栓下半部(A) における垂下筒体(26)の接続用下部(29)に対する接続用上部(68)となされており、接続用上部(68)に接続用下部(29)の雌ねじ(30)がねじ合わされる雄ねじ(86)が設けられている。接続筒体(53)における接続用上部(68)から環状張出部(83)にかけての内径は、アダプター本体(52)の上部径小部(75)の径より若干大きく、接続筒体(53)がアダプター本体(52)に対して回転自在となされている。
【００１９】
以下に、上記湯水混合水栓上半部取り替え用アダプターの使用の仕方について説明する。
【００２０】
まず、分岐栓のない既設湯水混合水栓を分岐栓のあるものに替えたい要望が生じた場合、既設湯水混合水栓からその上半部（図示略）を取り除く。上半部を取り除かれた既設湯水混合水栓下半部(C) は、混合湯水吐出管(60)付き筒体(72)と、筒体(72)が回転自在にはめ被せられた下本体(54)とよりなる。つぎに、アダプター(D) の本体(52)を下本体(54)の筒状上方突出部(70)内にはめ入れ、下本体(54)の位置決め用突起(77)にアダプター本体(52)下面の凹部(78)をはめ入れる。つぎに、接続筒体(53)を回転して下本体(54)の筒状上方突出部(70)の雄ねじ(69)に接続筒体(53)における接続用下部(67)の雌ねじ(85)をねじ合わせて締め付ける。すると、アダプター本体(52)の中間第２湯導入路(64)、中間第２水導入路(65)および第２混合湯水排出路(66)が、下本体(54)の下部湯導入路(61)、下部水導入路(62)および下部混合湯水排出路(63)とそれぞれ合致して連通状となる。つぎに、アダプター本体(52)の上方に突出した２つの筒状位置決め部材(43)に共通湯水混合水栓上半部(A) の上本体(14)の上部湯導入路(16)および上部水導入路(17)の下端部に形成された径大部(47)にはめ込み、垂下筒体(26)を回転してアダプター本体(52)の接続用上部(68)の雄ねじ(86)に垂下筒体(26)における接続用下部(29)の雌ねじ(85)をねじ合わせて締め付ける。すると、中間第１湯導入路(55)、中間第１水導入路(56)および中間第１湯水排出路(57)が、上本体(14)の上部湯導入路(16)、上部水導入路(17)および上部混合湯水排出路(18)とそれぞれ合致して連通状となる。共通湯水混合水栓上半部(A) の上本体(14)には、水導入路(17)と連通する分岐口(34)が存在するので、分岐口(34)付きの湯水混合水栓が得られる。
【００２１】
既設のシングルレバー式湯水混合水栓が、分岐口を有していない場合に、これを分岐口を有するものと取り替えるさい、本発明による上記アダプター(D)を用いるのであるが、冒頭に述べたように、シングルレバー式湯水混合水栓は、メーカー毎に、上端においてカートリッジ内の固定弁板と可動弁板間の湯水混合部に通じ、下端において給湯管、給水管および混合湯水吐出管とそれぞれ通じる湯導入路、水導入路および混合湯水排出路が、その中心位置および径において若干異にする。メーカー毎にこのような差異があっても、分岐口を有する湯水混合水栓上半部(A) を１種類用意すれば、分岐口のない既設湯水混合水栓上半部を取り替えるさいこれを共通して使用できる。共通湯水混合水栓上半部(A) の上本体(14)の上部湯導入路(16)、上部水導入路(17)および上部混合湯水排出路(18)に対するアダプター(D) の本体の中間第１湯導入路(55)、中間第１水導入路(56)および中間第１混合湯水排出路(57)の中心位置および径ならびに接続筒体の接続用上部(68)は常に同一となされている。しかしながら、アダプター本体の中間第２湯導入路、中間第２水導入路および中間第２混合湯水排出路の中心位置および径は、メーカー毎に異なる各既設湯水混合水栓下半部の下本体の下部湯導入路、下部水導入路および下部混合湯水排出路とそれぞれ合致するように形成せられるとともに、接続筒体の接続用下部が各既設湯水混合水栓と接続可能なように形成せられる。
【００２２】
上記関係を図５を参照して説明する。図５(a) は、上記本発明の実施の形態におけるアダプター本体(52)の水平断面を示す。同図のアダプター本体(52)は、中間第１湯導入路(55)、中間第１水導入路(56)および中間第１混合湯水排出路(57)と、それぞれ中心位置が偏心しかつ径も異なるが相互につながっている中間第２湯導入路(64)、中間第２水導入路(65)および中間第２混合湯水排出路(66)を有する。図５(b) は、上記本発明の他の実施の形態におけるアダプター本体(52B) の水平断面を示す。アダプター本体(52B) は、中間第１湯導入路(55)、中間第１水導入路(56)および中間第１混合湯水排出路(57)と、それぞれ中心位置が図５(a) のものと異なって偏心しかつ径も異なるが相互につながっている中間第２湯導入路(64B) 、中間第２水導入路(65B) および中間第２混合湯水排出路(66B) を有する。図５(c) は、上記本発明のさらに他の実施の形態におけるアダプター本体(52C) の水平断面を示す。アダプター本体(52C) は、中間第１湯導入路(55)、中間第１水導入路(56)および中間第１混合湯水排出路(57)と、それぞれ中心位置が図５(a) のものおよび図５(b) のものと異なって偏心しかつ径も異なるが相互につながっている中間第２湯導入路(64C) 、中間第２水導入路(65C) および中間第２混合湯水排出路(66C) を有する。なお、図５全体を通じて、(78)は位置決め突起受け入れ凹部を示す。
【００２３】
上記本発明の実施の形態では、分岐口(34)が水導入路に連通しているが、これは湯導入路または混合湯水排出路に連通するように設けてもよく、湯導入路、水導入路および混合湯水排出路のいずれか２つに連通するように設けてもよいし、湯導入路、水導入路および混合湯水排出路の３つすべてに連通するように設けてもよい。
【００２４】
なお、理解を容易にするため、図１および図２に共通湯水混合水栓上半部(A) を有する基本湯水混合水栓全体を示したが、要するに、既設湯水混合水栓にない分岐口を備えた共通湯水混合水栓上半部だけがあればよい。
【００２５】
【発明の効果】
本発明の湯水混合水栓上半部取り替え用アダプターによれば、シングルレバー式湯水混合水栓において、分岐口を全く有しない既設のものを分岐口を有するものに取り替えたいような場合に、メーカー毎の製品に関係なく、分岐口の付いた１種類の共通上半部のみを用意するだけでことたりるから、コストの大幅の低減となる利点がある。
【図面の簡単な説明】
【図１】  分岐口のある基本湯水混合水栓の一部を切り欠いた正面図である。
【図２】  分岐口のある基本湯水混合水栓の一部を切り欠いた側面図である。
【図３】  本発明によるアダプターを用いて既設湯水混合水栓上半部を分岐口の付いた共通湯水混合水栓上半部と取り替えた状態を示す一部を切り欠いた正面図である。
【図４】  本発明によるアダプターを用いて既設湯水混合水栓上半部を分岐口の付いた共通湯水混合水栓上半部と取り替えた状態を示す一部を切り欠いた側面図である。
【図５】  本発明によるアダプターの水平断面図であり、(a) は１実施の形態を、(b) は他の実施の形態を、(c) はさらに他の実施の形態を示すものである。
【符号の説明】
(A)：共通湯水混合水栓上半部
(C) ：既設湯水混合水栓下半部
(D) ：アダプター
(14)：共通湯水混合水栓上半部の上本体
(15)：カートリッジ
(16)：上部湯導入路
(17)：上部水導入路
(18)：上部混合湯水排出路
(26)：垂下筒体
(29)：垂下筒体の接続用下部
(30)：垂下筒体の接続用下部の雌ねじ
(34）：分岐口
(43）：筒状位置決め部材
(47）：上部湯導入路および上部水導入路の各下端部の径大部
(52)：アダプター本体
(53)：接続筒体
(54)：既設湯水混合水栓下半部の下本体
(55)：中間第１湯導入路
(56)：中間第１水導入路
(57)：中間第１混合湯水排出路
(58)：給湯管
(59)：給水管
(60)：混合湯水吐出管
(61)：下部湯導入路
(62)：下部水導入路
(63)：下部混合湯水排出路
(64)：中間第２湯導入路
(65)：中間第２水導入路
(66)：中間第２混合湯水排出路
(67)：接続筒体の接続用下部
(68)：接続筒体の接続用上部
(69)：筒状上方突出部の雄ねじ
(70)：筒状上方突出部
(77)：位置決め突起
(78)：凹部
(85)：接続筒体の接続用下部の雌ねじ
(86)：接続筒体の接続用上部の雄ねじ
【図１】
0003694782.tif 000002
【図２】
0003694782.tif 000003
【図３】
0003694782.tif 000004
【図４】
0003694782.tif 000005
【図５】
0003694782.tif 000006